(57)【要約】【課題】顧客が注文した商品に関する情報を外部装置に送信することが可能な注文受付装置及びプログラムを提供する。【解決手段】表示部と、前記表示部に表示された表示画面への操作入力を受け付ける受付部と、各顧客のアバターと、商品アイテムとを含む第１選択画面を前記表示部に表示する第１表示手段と、前記第１選択画面から選択された前記アバターと注文対象の前記商品アイテムとの組に基づいて、当該商品アイテムの注文を行う注文手段と、特定のアバターについて前記注文手段が注文を行った前記商品アイテムに関する商品情報を外部装置に送信する送信手段と、を備える。【選択図】図２
2014170506.tif 000002
【特許請求の範囲】
【請求項１】
表示部と、
前記表示部に表示された表示画面への操作入力を受け付ける受付部と、
各顧客のアバターと、商品アイテムとを含む第１選択画面を前記表示部に表示する第１表示手段と、
前記第１選択画面から選択された前記アバターと注文対象の前記商品アイテムとの組に基づいて、当該商品アイテムの注文を行う注文手段と、
特定のアバターについて前記注文手段が注文を行った前記商品アイテムに関する商品情報を外部装置に送信する送信手段と、
を備える注文受付装置。
【請求項２】
前記商品情報の送信対象となる前記アバターを選択可能な第２選択画面を前記表示部に表示する第２表示手段を更に備え、
前記送信手段は、前記第２選択手段から選択された前記アバターについて前記注文手段が注文を行った前記商品アイテムに関する商品情報を、前記外部装置に送信する請求項１に記載の注文受付装置。
【請求項３】
前記注文手段が注文を行った前記商品アイテムのうち、送信対象の商品アイテムを選択可能な第３選択画面を前記表示部に表示する第３表示手段を更に備え、
前記送信手段は、前記第３選択画面から選択された前記送信対象の商品アイテムに関する商品情報を、前記外部装置に送信する請求項１又は２に記載の注文受付装置。
【請求項４】
前記商品情報の送信先となる前記外部装置を選択可能な第４選択画面を前記表示部に表示する第４表示手段を更に備え、
前記送信手段は、前記第４選択画面から選択された前記外部装置に前記商品情報を送信する請求項１〜３の何れか一項に記載の注文受付装置。
【請求項５】
前記送信手段は、前記商品情報を記憶する第１外部装置又は前記商品情報を当該第１外部装置に転送する第２外部装置に、前記商品情報を送信する請求項１〜４の何れか一項に記載の注文受付装置。
【請求項６】
表示部と、前記表示部に表示された表示画面への操作入力を受け付ける受付部とを備えた注文受付装置のコンピュータを、
各顧客のアバターと、商品アイテムとを含む第１選択画面を前記表示部に表示する第１表示手段と、
前記第１選択画面から選択された前記アバターと注文対象の前記商品アイテムとの組に基づいて、当該商品アイテムの注文を行う注文手段と、
特定のアバターについて前記注文手段が注文を行った前記商品アイテムに関する商品情報を外部装置に送信する送信手段と、
して機能させるためのプログラム。
【発明の詳細な説明】
【技術分野】
【０００１】
本発明の実施形態は、注文受付装置およびプログラムに関する。
【背景技術】
【０００２】
従来、居酒屋等の店舗には、注文システムが導入されている。注文システムは、その基本機能として、顧客に渡されて使用される注文受付装置から無線送信された注文データ（テーブルコード、メニューコード等を含む）がオーダステーションに送信され、オーダステーションではオーダエントリ処理が実行されるように構成されている。また、近時では、飲食店で飲食した料理等に関する情報をライフログやＳＮＳ等のＷｅｂサービスに記録することが行われている。
【発明の概要】
【発明が解決しようとする課題】
【０００３】
しかしながら、料理等に関する情報をＷｅｂサービスに記録する際には、ユーザ自らが飲食した料理に関する情報を入力する必要があるため、その手続きが煩雑であるという問題があった。
【課題を解決するための手段】
【０００４】
実施形態の注文受付装置は、表示部と、受付部と、第１表示手段と、注文手段と、送信手段とを備える。受付部は、前記表示部に表示された表示画面への操作入力を受け付ける。第１表示手段は、各顧客のアバターと、商品アイテムとを含む第１選択画面を前記表示部に表示する。注文手段は、前記第１選択画面から選択された前記アバターと注文対象の前記商品アイテムとの組に基づいて、当該商品アイテムの注文を行う。送信手段は、特定のアバターについて前記注文手段が注文を行った前記商品アイテムに関する商品情報を外部装置に送信する。
【図面の簡単な説明】
【０００５】
【図１】図１は、実施形態にかかるオーダエントリシステムの全体構成を概略的に示すシステム構成図である。
【図２】図２は、注文受付装置の電気的接続を示すブロック図である。
【図３】図３は、オーダステーションの電気的接続を示すブロック図である。
【図４】図４は、注文ファイルのデータ構造の一例を示す模式図である。
【図５】図５は、注文受付装置の操作開始処理の流れの一例を示すフローチャートである。
【図６−１】図６−１は、操作開始処理における画面表示例を示す正面図である。
【図６−２】図６−２は、操作開始処理における画面表示例を示す正面図である。
【図７】図７は、注文受付装置のオーダエントリ処理の流れの一例を示すフローチャートである。
【図８−１】図８−１は、オーダエントリ処理における画面表示例を示す正面図である。
【図８−２】図８−２は、オーダエントリ処理における画面表示例を示す正面図である。
【図８−３】図８−３は、オーダエントリ処理における画面表示例を示す正面図である。
【図８−４】図８−４は、オーダエントリ処理における画面表示例を示す正面図である。
【図９−１】図９−１は、メニュー選択画面の画面遷移例を示す正面図である。
【図９−２】図９−２は、メニュー選択画面の画面遷移例を示す正面図である。
【図９−３】図９−３は、メニュー選択画面の画面遷移例を示す正面図である。
【図９−４】図９−４は、メニュー選択画面の画面遷移例を示す正面図である。
【図１０】図１０は、注文受付装置の履歴送信処理の流れの一例を示すフローチャートである。
【図１１−１】図１１−１は、履歴送信処理における画面表示例を示す正面図である。
【図１１−２】図１１−２は、履歴送信処理における画面表示例を示す正面図である。
【図１１−３】図１１−３は、履歴送信処理における画面表示例を示す正面図である。
【図１２】図１２は、オーダステーションが実行するオーダエントリ処理の流れの一例を示すフローチャートである。
【図１３】図１３は、本実施形態の他の構成例を示す図である。
【発明を実施するための形態】
【０００６】
以下、添付図面を参照して、注文受付装置及びプログラムの実施形態を詳細に説明する。なお、以下に説明する実施形態は、一実施形態であって、その構成や仕様等を限定するものではない。
【０００７】
図１は、実施形態にかかるオーダエントリシステム１０１の全体構成を概略的に示すシステム構成図である。本実施の形態のオーダエントリシステム１０１は、例えば居酒屋等の店舗に導入される。
【０００８】
図１に示すように、オーダエントリシステム１０１は、顧客に渡されて使用される複数の注文受付装置１０２、キッチンに設置されるキッチンプリンタ１０３、チェックアウトカウンタに設置されるＰＯＳ端末１０４、ホールに設置されるカスタマチェックプリンタ１０５、店舗のバックヤード等に設置されオーダエントリシステム１０１全体を制御するサーバとしてのオーダステーション１０６等を備える。
【０００９】
また、オーダエントリシステム１０１は、ＬＡＮケーブル１０８を介して、インターネット等のＷＡＮ１３０に接続される。このＷＡＮ１３０には、ライフログサービスやＳＮＳ（Social  Networking  Service）サービスを提供するサーバ装置１４０が接続される。
【００１０】
オーダステーション１０６は、ＬＣＤ１１６及びキーボード１１７を備え、各注文受付装置１０２から無線送信された注文データを管理する。
【００１１】
ＰＯＳ端末１０４は、硬貨及び紙幣を出し入れ自在に収納するドロワ１１８の上に設置される。ＰＯＳ端末１０４は、オペレータ用と客用との二つの表示器１１９（１１９ａ、１１９ｂ）と、キーボードや鍵キーを含む入力装置１２０と、レシートプリンタ１２１とを備える。
【００１２】
次に、注文受付装置１０２について説明する。
【００１３】
注文受付装置１０２は、ホールの天井等に設定された無線中継器１０７を介して、オーダステーション１０６との無線通信を行う。また、注文受付装置１０２、キッチンプリンタ１０３、ＰＯＳ端末１０４及びカスタマチェックプリンタ１０５は、ＬＡＮケーブル１０８を介してオーダステーション１０６と通信自在に接続される。
【００１４】
注文受付装置１０２は、テーブルを特定するテーブルコード、当該テーブルに着いた各顧客を識別するアバターコード、メニュー品目を特定するメニューコード及びその数量の入力が可能である。注文受付装置１０２は、テーブルコードに、注文を行った顧客のアバターコード、メニューコード及びその数量を対応付けた注文データを生成する。
【００１５】
注文受付装置１０２が生成した注文データは、オーダステーション１０６に無線通信により送信され、オーダステーション１０６からキッチンプリンタ１０３、ＰＯＳ端末１０４、カスタマチェックプリンタ１０５へと送信される。キッチンプリンタ１０３及びカスタマチェックプリンタ１０５は、受信した注文データに応じた内容の伝票を印字発行する。キッチンプリンタ１０３が印字発行する伝票は、注文されたメニュー品目をキッチンの調理人に指示するための調理指示伝票である。カスタマチェックプリンタ１０５が印字発行する伝票は、注文された商品を給仕した後に来店客に渡す伝票である。これらのキッチンプリンタ１０３とカスタマチェックプリンタ１０５とは、同一の基本的構造を有している。ＰＯＳ端末１０４は、顧客との間での注文データに基づく会計処理を含む販売データ処理等を実行する。
【００１６】
注文受付装置１０２は、厚みのある板状の本体ハウジング１０９を有する。本体ハウジング１０９の一面側には、受付部としてのタッチパネル１１０が付加された表示部であるＬＣＤ１１１が設けられ、その右側には、ユーザインターフェースとしてのキーボード１１２が設けられる。ＬＣＤ１１１は、表示部として機能し、注文受付装置１０２を使用する顧客に対して情報表示を提供する。タッチパネル１１０は、ＬＣＤ１１１に表示された画像に対する接触の有無を検知し、接触により行われた操作内容を入力信号として後述するタッチパネルコントローラ２０６に出力する。キーボード１１２は、テンキーや十字キー等を含み、タッチパネル１１０と共に操作部を構成する。また、本体ハウジング１０９の四隅には、耐衝撃性を有する部材であるコーナバンパ１１３が装着されている。コーナバンパ１１３によって、注文受付装置１０２の耐落下性能の向上が図られている。
【００１７】
図２は、注文受付装置１０２の電気的接続を示すブロック図である。図２に示すように、注文受付装置１０２は、自装置の各部を制御するマイクロコンピュータ２０１を備える。マイクロコンピュータ２０１は、マイクロプロセッサであるＣＰＵ２０２と、バスライン２０３を介して制御プログラム等の固定的情報を予め記憶するＲＯＭ２０４と、各種データを書き換え自在に記憶してワークエリア等として機能するＲＡＭ２０５と、データを書き換え自在に記憶し、その記憶データを給電なしに保持できる不揮発性メモリ２１５とを有する。マイクロコンピュータ２０１は、後述する各処理において、第１表示手段、注文手段、送信手段、第２表示手段、第３表示手段及び第４表示手段として機能する。
【００１８】
マイクロコンピュータ２０１には、バスライン２０３を介して、タッチパネルコントローラ２０６、表示コントローラ２０７、キーボードコントローラ２０８、無線通信インターフェース２０９及び無線部２１０が接続される。
【００１９】
タッチパネルコントローラ２０６は、タッチパネル１１０からの入力信号をマイクロコンピュータ２０１に取り込む。表示コントローラ２０７は、画像データに基づいてＬＣＤ１１１を駆動制御し、画像データに応じた画像をＬＣＤ１１１に表示させる。キーボードコントローラ２０８は、キーボード１１２からの入力信号をマイクロコンピュータ２０１に取り込む。
【００２０】
無線通信インターフェース２０９は、無線部２１０を駆動制御する。無線部２１０は、アンテナ２１１を介して無線中継器１０７との間で無線通信を実行する。注文受付装置１０２に入力された注文データ等の各種情報は、無線部２１０から無線中継器１０７に送信される。この場合、注文データは宛先をオーダステーション１０６としている。そこで、入力された情報が注文データである場合には、注文データはオーダステーション１０６に向けて無線送信されることになる。
【００２１】
不揮発性メモリ２１５は、各種データを記憶する。例えば、コンテンツデータ１７１、注文受付装置１０２における各種処理用のプログラム１７２及び基本ＯＳ１７３を記憶する。コンテンツデータ１７１は、メニューコードに対応付けて、メニュー写真、メニュー品目名、単価、重量或いは分量、カロリー等の商品情報を含む。また、コンテンツデータ１７１は、カテゴリー写真、カテゴリー名等も含む。さらに、コンテンツデータ１７１は、後述するアバター画像等の各種のＧＵＩ（Graphical  User  Interface）に関するデータ等も含む。コンテンツデータ１７１、プログラム１７２、基本ＯＳ１７３の全部又は一部は、注文受付装置１０２の起動時等にＲＡＭ２０５にコピーされる。注文受付装置１０２のマイクロコンピュータ２０１は、基本ＯＳ１７３及びプログラム１７２に従い各種の処理を実行する。
【００２２】
オーダステーション１０６の電気的接続についても簡単に説明する。図３は、オーダステーション１０６の電気的接続を示すブロック図である。図３に示すように、オーダステーション１０６は、自装置の各部を制御するマイクロコンピュータ３０１を備える。マイクロコンピュータ３０１は、マイクロプロセッサであるＣＰＵ３０２と、バスライン３０３を介して制御プログラム等の固定的情報を予め記憶するＲＯＭ３０４と、各種データを書き換え自在に記憶してワークエリア等として機能するＲＡＭ３０５とを有する。したがって、マイクロコンピュータ３０１は、情報処理を実行する情報処理部を構成する。ＲＡＭ３０５は、その全部又は一部が不揮発性メモリである。
【００２３】
マイクロコンピュータ３０１には、バスライン３０３を介して、表示／キーボードコントローラ３０６とＨＤＤ３０７と通信インターフェース３０８とが接続される。
【００２４】
表示／キーボードコントローラ３０６は、画像データに基づいてＬＣＤ１１６を駆動制御し、画像データに応じた画像をＬＣＤ１１６に表示させ、また、キーボード１１７からの入力信号をマイクロコンピュータ３０１に取り込む。通信インターフェース３０８は、ＬＡＮケーブル１０８を介して他の機器、つまり、キッチンプリンタ１０３、ＰＯＳ端末１０４、カスタマチェックプリンタ１０５、及び無線中継器１０７との間でのデータ通信を可能とする。
【００２５】
図４は、オーダステーション１０６が記憶する注文ファイル３５１のデータ構造の一例を示す模式図である。オーダステーション１０６は、注文受付装置１０２から注文データを受信すると、当該注文データを注文ファイル３５１に登録する。
【００２６】
図４に示すように、注文ファイル３５１は、テーブルコード３５１ａに会計済フラグ３５１ｂを対応付けて記憶可能なデータ構造を備えている。また、テーブルコード３５１ａに対応付けて、注文受付装置１０２から受信した注文データに含まれているアバターコード３５１ｃと、メニューコード３５１ｄと、数量３５１ｅとを登録可能なデータ構造を有している。
【００２７】
ここで、例示したアバターコード「ＡＶ＿０１」〜「ＡＶ＿０３」は、それぞれ異なる顧客を表す。また、アバターコード「ＳＨ」は、不特定多数のユーザで共用する共用ユーザを表す。オーダステーション１０６は、同一のアバターコードの単位で、当該アバターコードに対応付けられたメニューコード及び数量を、メニューコード３５１ｄ及び数量３５１ｅの欄に格納する。
【００２８】
次に、注文受付装置１０２のマイクロコンピュータ２０１が基本ＯＳ１７３及びプログラム１７２に従って実行する各種の処理のうち、操作開始処理について説明する。
【００２９】
図５は、注文受付装置１０２の操作開始処理の流れの一例を示すフローチャートである。図６は注文受付装置１０２のＬＣＤ１１１の操作開始処理における画面表示例を示す正面図である。図５のフローチャートと図６の画面表示例とに基づいて、操作開始処理の一例について説明する。なお、本処理の前提として、注文受付装置１０２のＲＡＭ２０５には、テーブルコードが予め登録されているとする。また、本処理は、注文受付装置１０２の操作開始時に行うものである。
【００３０】
まず、注文受付装置１０２のマイクロコンピュータ２０１は、不揮発性メモリ２１５にアクセスし、不揮発性メモリ２１５に記憶されているコンテンツデータ１７１を取得する。そして、注文受付装置１０２のマイクロコンピュータ２０１は、取得したコンテンツデータ１７１に基づいて、第１選択画面であるアバター選択画面１０をＬＣＤ１１１に表示させる（ステップＳ１）。これにより、ＬＣＤ１１１には、初期画面であるアバター選択画面１０が表示される（図６−１参照）。
【００３１】
図６−１に示すように、アバター選択画面１０は、各種のキャラクター（アバター）画像を表したアバターボタンＢ１１（Ｂ１１ａ〜Ｂ１１ｄ）と、決定ボタンＢ１２とを含む。テーブルに着いた各顧客は、何れか一のアバターボタンをそれぞれタッチ指定（以下、押下ともいう）することで、注文時において自らを識別するアバターを選択する。なお、アバターボタンの各々には、それぞれ固有のアバターコードが対応付けられているとする。
【００３２】
注文受付装置１０２のマイクロコンピュータ２０１は、アバターボタンＢ１１及び決定ボタンＢ１２の何れかが選択されるまで待機する（ステップＳ２；Ｎｏ→ステップＳ６；Ｎｏ）。
【００３３】
ここで、注文受付装置１０２のマイクロコンピュータ２０１は、アバターボタンＢ１１の何れかが押下されたことを受け付けると（ステップＳ２；Ｙｅｓ）、その押下されたアバターボタンＢ１１が選択済みか否かを判定する（ステップＳ３）。
【００３４】
ステップＳ３において、未選択と判定した場合（ステップＳ３；Ｎｏ）、注文受付装置１０２のマイクロコンピュータ２０１は、フラグ情報等を用いることで、押下されたアバターボタンＢ１１のアバターコードを“選択済み”に設定する。また、注文受付装置１０２のマイクロコンピュータ２０１は、押下されたアバターボタンＢ１１上に選択済みであることを明示する明示画像を表示し（ステップＳ４）、ステップＳ２に戻る。例えば、注文受付装置１０２のマイクロコンピュータ２０１は、図６−２に示すように、選択されたアバターボタンＢ１１（Ｂ１１ａ）の上に、明示画像としてチェックマークＣＨ等を表示する。
【００３５】
また、ステップＳ３において、選択済みと判定した場合（ステップＳ３；Ｙｅｓ）、注文受付装置１０２のマイクロコンピュータ２０１は、押下されたアバターボタンＢ１１のアバターコードに設定された“選択済み”を解除する。また、注文受付装置１０２のマイクロコンピュータ２０１は、押下されたアバターボタンＢ１１の上に表示した明示画像を消去することで選択を解除した後（ステップＳ５）、ステップＳ２に戻る。
【００３６】
注文受付装置１０２のマイクロコンピュータ２０１は、決定ボタンＢ１２の押下を受け付けると（ステップＳ２；Ｎｏ→ステップＳ６；Ｙｅｓ）、本処理の終了が指示されたと判定する。注文受付装置１０２のマイクロコンピュータ２０１は、“選択済み”と設定したアバターコードをＲＡＭ２０５等に記憶し（ステップＳ７）、本処理を終了する。
【００３７】
次に、注文受付装置１０２のマイクロコンピュータ２０１が基本ＯＳ１７３及びプログラム１７２に従って実行する各種の処理のうち、オーダエントリ処理について説明する。
【００３８】
図７は、注文受付装置１０２のオーダエントリ処理の流れの一例を示すフローチャートである。図８は注文受付装置１０２のＬＣＤ１１１のオーダエントリ処理における画面表示例を示す正面図である。図７のフローチャートと図８の画面表示例とに基づいて、オーダエントリ処理の一例について説明する。なお、本処理は、上述した操作開始処理の後に実行されるものである。
【００３９】
注文受付装置１０２のマイクロコンピュータ２０１は、不揮発性メモリ２１５にアクセスし、不揮発性メモリ２１５に記憶されているコンテンツデータ１７１を取得する。そして、注文受付装置１０２のマイクロコンピュータ２０１は、取得したコンテンツデータ１７１に基づいて、カテゴリー選択画面２０をＬＣＤ１１１に表示させる（ステップＳ１１）。これにより、ＬＣＤ１１１には、カテゴリー選択画面２０が表示される（図８−１参照）。
【００４０】
図８−１に示すように、カテゴリー選択画面２０は、販売対象となるメニュー品目の各カテゴリーを表したカテゴリー選択表示Ａ２１を含む。ここで、カテゴリー選択表示Ａ２１は、各カテゴリーについてのカテゴリー写真Ａ２１ａと、カテゴリー名Ａ２１ｂとを含んでいる。
【００４１】
また、カテゴリー選択画面２０の画面右上には、上述した操作開始処理で選択されたアバター（アバターコード）の各々に対応するアバター画像Ａ２２（Ａ２２ａ〜Ａ２２ｄ）が表示される。この例では、４つのアバターが選択された例を示しており、そのアバターの個数が同一のテーブルに着いた顧客の人数に相当する。
【００４２】
また、カテゴリー選択画面２０には、図８−１に示すように、会計ボタンＢ２１、注文履歴ボタンＢ２２、履歴送信ボタンＢ２３が表示されている。会計ボタンＢ２１は、顧客が飲食を終えて会計を行う際にタッチパネル１１０によってタッチ指定するものである。注文履歴ボタンＢ２２は、注文履歴の確認を行う際にタッチパネル１１０によってタッチ指定するものである。また、履歴送信ボタンＢ２３は、サーバ装置１４０へ注文履歴を送信する際にタッチパネル１１０によってタッチ指定するものである。
【００４３】
会計ボタンＢ２１が押下されると（ステップＳ１２；Ｎｏ→ステップＳ１３；Ｙｅｓ）、注文受付装置１０２のマイクロコンピュータ２０１は、ＬＣＤ１１１に会計画面（図示せず）を表示させて処理を終了する（ステップＳ１４）。
【００４４】
一方で、注文受付装置１０２のマイクロコンピュータ２０１は、何れかのカテゴリー選択表示Ａ２１が押下されたことを受け付けると（ステップＳ１２；Ｙｅｓ）、対応するカテゴリーのメニューを表示する（ステップＳ１５）。ここでは、注文受付装置１０２のマイクロコンピュータ２０１は、既に取得しているコンテンツデータ１７１に基づいて、第２選択画面であるメニュー選択画面３０をＬＣＤ１１１に表示させる処理を実行する。これにより、ＬＣＤ１１１にはメニュー選択画面３０が表示される（図８−２参照）。
【００４５】
図８−２に示すように、メニュー選択画面３０は、第１メニュー選択表示Ａ３１と、第２メニュー選択表示Ａ３２とを含む。
【００４６】
第１メニュー選択表示Ａ３１は、所定のカテゴリーに含まれる一群の各メニュー品目についての、メニュー写真Ａ３１ａ、メニュー品目名Ａ３１ｂ及び単価Ａ３１ｃを含む第１表示領域である。また、各々の第１メニュー選択表示Ａ３１には、メニューコードが対応付けされている。
【００４７】
第２メニュー選択表示Ａ３２は、お勧め商品を表示する第２表示領域であり、お勧め順に自動スクロール表示される。第２メニュー選択表示Ａ３２は、第１メニュー選択表示Ａ３１に表示された所定のカテゴリーに含まれる一群のメニュー品目とは別の一群の各商品アイテムについての、メニュー写真Ａ３２ａ、メニュー品目名Ａ３２ｂ、及び、単価Ａ３２ｃを含んでいる。また、第２メニュー選択表示Ａ３２の各々には、メニューコードが対応付けされている。なお、第１メニュー選択表示Ａ３１は第２メニュー選択表示Ａ３２と比べて画面縦方向で大きく設定されている。また、第１メニュー選択表示Ａ３１内の各メニュー品目の商品アイコンは、第２メニュー選択表示Ａ３２内の各メニュー品目の商品アイコンと比べて大きく設定・表示されている。
【００４８】
ここで、お勧め商品は、カテゴリー選択画面２０のカテゴリー選択表示Ａ２１で選択されたカテゴリーに予め関連付けられた一群の商品アイテムであってもよい。例えば、カテゴリーとして「ビール」が選択された場合の「スピードメニュー」のカテゴリーの一群の商品アイテム等である。さらに、滞在時間との関係で、最初の注文からの滞在時間を図示しないタイマーによって計測しておき、２時間経過した場合には、「デザート」のカテゴリーの一群の商品アイテムをお勧め商品としてもよい。
【００４９】
また、図８−２に示すように、メニュー選択画面３０には、カテゴリー選択画面２０と同様に、アバター画像Ａ２２（Ａ２２ａ〜Ａ２２ｄ）が表示される。さらに、図８−２に示すように、メニュー選択画面３０には、注文送信ボタンＢ３１、注文確認リストＡ３３が表示されている。
【００５０】
図８−２に示すようなメニュー選択画面３０上では、所望のメニュー品目を注文目的で選択することができる。つまり、注文目的でのメニュー品目の選択は、メニュー選択画面３０の第１メニュー選択表示Ａ３１に表示される所望のメニュー品目のメニュー写真Ａ３１ａ、またはメニュー選択画面３０の第２メニュー選択表示Ａ３２に表示される所望のメニュー品目のメニュー写真Ａ３２ａを、タッチ指定することによってなされる。
【００５１】
ところで、注文受付装置１０２では、アバターコードと、メニューコードと、数量とを関連付けてＲＡＭ２０５等に記憶することで、顧客毎の注文内容を管理する機能を備えている。この機能を有効とするため、顧客は注文を行うにあたり、アバター画像Ａ２２を押下することで、自身のアバターを選択する。注文受付装置１０２のマイクロコンピュータ２０１は、アバター画像Ａ２２の押下を受け付けると（ステップＳ１６；Ｙｅｓ）、選択されたアバター画像Ａ２２を強調表示する（ステップＳ１７）。
【００５２】
図８−３では、メニュー選択画面３０において、アバター画像Ａ２２ｄが選択された例を示しており、当該アバター画像Ａ２２ｄが選択中であることを示す画像効果を施している。また、注文受付装置１０２のマイクロコンピュータ２０１は、選択されたアバター画像Ａ２２ｄの拡大画像Ａ２３を画面左上に一時的に表示することで、選択されたアバター画像Ａ２２ｄを明示する。なお、アバター画像Ａ２２の選択解除は、選択中のアバター画像Ａ２２を再度押下することで解除できるとする。
【００５３】
アバター画像Ａ２２が選択された後、顧客が所望のメニュー品目を注文目的のために選択すると（ステップＳ１８；Ｙｅｓ）、注文受付装置１０２のマイクロコンピュータ２０１は、選択中のアバター画像Ａ２２に対応するアバターコードと、選択されたメニュー品目のメニューコードと、そのメニュー品目の数量との組を一の注文内容として対応付け、ＲＡＭ２０５のワークエリアに登録する（ステップＳ１９）。また、注文受付装置１０２のマイクロコンピュータ２０１は、これまでに登録を行った注文内容のうち、注文送信が未完了の注文内容を、注文確認リストＡ３３にリスト表示する。
【００５４】
なお、本実施形態の注文受付装置１０２では、アバター画像Ａ２２が未選択の状態でも注文を行うことが可能である。具体的に、注文受付装置１０２のマイクロコンピュータ２０１は、アバター画像Ａ２２が未選択の状態でメニュー品目の選択を受け付けると（ステップＳ１６；Ｎｏ→ステップＳ１８；Ｙｅｓ）、ステップＳ１９において、選択されたメニュー品目のメニューコードを、予め定められた共用ユーザ用のアバターコードと対応付けてＲＡＭ２０５のワークエリアに登録する（ステップＳ１９）。
【００５５】
ここで、メニュー品目の選択時におけるメニュー選択画面３０の画面遷移について詳述する。図９は、メニュー選択画面３０の画面遷移例を示す正面図である。顧客が所望のメニュー品目のメニュー写真Ａ３１ａを注文目的のために選択すると（図９−１参照）、注文受付装置１０２のマイクロコンピュータ２０１は、図９−２に示すように、選択されたメニュー写真Ａ３１ａに重ねて数量を大きく表示する。また、図９−３に示すように、注文受付装置１０２のマイクロコンピュータ２０１は、メニュー写真Ａ３１ａの選択と同時に注文確認リストＡ３３をメニュー選択画面３０の一部に重畳表示し、選択されたメニュー品目（注文内容）を、軌跡を描きながら注文確認リストＡ３３に表示させる。その後、注文受付装置１０２のマイクロコンピュータ２０１は、図９−４に示すように、メニュー写真Ａ３１ａ上の数量表示を小さくし、メニュー写真Ａ３１ａの右下に表示させる。
【００５６】
図７に戻り、注文受付装置１０２のマイクロコンピュータ２０１は、注文送信の有無（ステップＳ２０）を判定し、注文送信のイベントが発生しなければ（ステップＳ２０；Ｎｏ）、ステップＳ１６に戻る。これにより、顧客は、自らのアバター（アバター画像）を選択した後、メニュー選択画面３０の第１メニュー選択表示Ａ３１または第２メニュー選択表示Ａ３２上でのタッチパネル１１０によるタッチ指定によって次々と所望のメニュー品目を選択していくことができる。
【００５７】
また、注文受付装置１０２のマイクロコンピュータ２０１は、ステップＳ２０において、注文送信ボタンＢ３１（図８−２参照）の押下を受け付けると（ステップＳ；Ｙｅｓ）、注文送信が未完了の注文内容（アバターコード、メニューコード及び数量）と、既に登録されているテーブルコード、人数等を含む注文データを生成して、無線部２１０を駆動制御し、この注文データを無線送信し（ステップＳ２１）、ステップＳ１１に戻る。
【００５８】
注文受付装置１０２から無線送信された注文データは、無線中継器１０７によって受信される。無線中継器１０７は、注文データをＬＡＮケーブル１０８に送信出力する。すると、注文データに含まれている送信先であるオーダステーション１０６が注文データを受信する。
【００５９】
一方、カテゴリー選択画面２０の注文履歴ボタンＢ２２が操作された場合について説明する。注文受付装置１０２のマイクロコンピュータ２０１は、注文履歴ボタンＢ２２の押下を受け付けると（ステップＳ１２；Ｎｏ→ステップＳ１３；Ｎｏ→ステップＳ２２；Ｙｅｓ）、ＬＣＤ１１１に注文履歴画面４０を表示させる処理を実行する（ステップＳ２３）。これにより、ＬＣＤ１１１には、注文履歴画面４０が表示される（図８−４参照）。
【００６０】
図８−４に示すように、注文履歴画面４０は、注文履歴表示Ａ４１と、追加注文選択表示Ａ４２とを含む。
【００６１】
注文履歴表示Ａ４１には、これまでに登録された注文内容のうち、注文送信が完了した各商品内容に関する注文履歴がリスト表示される。具体的に、各エントリーは、図８−４に示すように、注文時に選択されていたアバターコードのアバター画像Ａ４１ａ、注文された各メニュー品目についての、メニュー写真Ａ４１ｂ、メニュー品目名Ａ４１ｃ及び数量Ａ４１ｄを含み、これらが対応付けて表示される。
【００６２】
このように、注文受付装置１０２では、注文履歴表示Ａ４１において、注文を行った顧客（アバター）のアバター画像Ａ４１ａと、注文が完了したメニュー品目に関する情報とを対応付けて表示する。これにより、顧客は、自らが或いは他者が注文した各メニュー品目を容易に確認することができるため、注文履歴を確認する際の使い勝手を向上させることができる。なお、アバター画像Ａ４１ａが空欄の注文履歴は、共用ユーザのアバターコードに対応するものである。
【００６３】
追加注文選択表示Ａ４２は、顧客が注文した各メニュー品目についての、追加注文数を入力するためのものである。各々の追加注文選択表示Ａ４２には、メニューコードが対応付けされている。
【００６４】
また、このとき、図８−４に示すように、注文履歴画面４０には、注文送信ボタンＢ４１、トップページボタンＢ４２等が表示される。
【００６５】
顧客がタッチパネル１１０でのタッチ指定によって追加注文選択表示Ａ４２の所望のメニューの追加注文数を入力すると（ステップＳ２４；Ｙｅｓ）、注文受付装置１０２のマイクロコンピュータ２０１は、追加注文数が入力されたメニュー品目のアバターコードと、メニューコードと、その追加注文数との組を一の注文内容として対応付け、ＲＡＭ２０５のワークエリアに登録する（ステップＳ２５）。
【００６６】
そして、注文受付装置１０２のマイクロコンピュータ２０１は、注文送信の有無（ステップＳ２６）を判定し、注文送信のイベントが発生しなければ（ステップＳ２６；Ｎｏ）、ステップＳ２４に戻る。これにより、顧客は、注文履歴画面４０の追加注文選択表示Ａ４２上でのタッチパネル１１０によるタッチ指定による追加注文数の入力によって次々と所望のメニュー品目の追加注文を行うことができる。
【００６７】
注文受付装置１０２のマイクロコンピュータ２０１は、注文送信ボタンＢ４１（図８−４参照）の押下を受け付けると、ステップＳ２６で注文ありと判定する。そして、注文受付装置１０２のマイクロコンピュータ２０１は、注文ありと判定した場合（ステップＳ２６；Ｙｅｓ）、ステップＳ２５で登録した注文内容と、既に登録されているテーブルコード、人数等を含む注文データを生成して、無線部２１０を駆動制御し、この注文データを無線送信し（ステップＳ２１）、ステップＳ１１の処理に戻る。また、注文受付装置１０２のマイクロコンピュータ２０１は、トップページボタンＢ４２（図８−４参照）の押下を受け付けると（ステップＳ２４；Ｎｏ→ステップＳ２７；Ｙｅｓ）、ステップＳ１１に戻る。
【００６８】
次に、注文受付装置１０２のマイクロコンピュータ２０１が基本ＯＳ１７３及びプログラム１７２に従って実行する各種の処理のうち、履歴送信処理について説明する。
【００６９】
図１０は、注文受付装置１０２が実行する履歴送信処理の流れの一例を示すフローチャートである。また、図１１は、注文受付装置１０２のＬＣＤ１１１の履歴送信処理における画面表示例を示す正面図である。図１０のフローチャートと図１１の画面表示例とに基づいて、履歴送信処理の一例について説明する。なお、本処理は、上述したカテゴリー選択画面２０の履歴送信ボタンＢ２３がタッチ指定された際に実行されるものである。
【００７０】
注文受付装置１０２のマイクロコンピュータ２０１は、履歴送信ボタンＢ２３のタッチ操作を受け付けると、図１１−１に示すような、接続先となるサーバ装置１４０を選択させる接続先選択画面５０をＬＣＤ１１１に表示させる（ステップＳ３１）。これにより、ＬＣＤ１１１には、接続先選択画面５０が表示される（図１１−１参照）。
【００７１】
図１１−１に示すように、接続先選択画面５０は、サーバ装置１４０の各々が提供するサービスのサービス名等を表した選択ボタンＢ５１を選択可能に表示する。なお、各選択ボタンＢ５１には、対応するサーバ装置１４０のＵＲＩ（Uniform  Resource  Identifier）が設定されているものとする。
【００７２】
注文受付装置１０２のマイクロコンピュータ２０１は、選択ボタンＢ５１の何れかが押下されたことを受け付けると（ステップＳ３２；Ｙｅｓ）、その選択ボタンＢ５１に対応するサーバ装置１４０にアクセスする。そして、注文受付装置１０２のマイクロコンピュータ２０１は、サーバ装置１４０から提供される情報に基づいて、当該サーバ装置１４０が提供するサービスへのログイン画面６０をＬＣＤ１１１に表示させる（ステップＳ３３）。これにより、ＬＣＤ１１１には、ログイン画面６０が表示される（図１１−２参照）。
【００７３】
図１１−２に示すように、ログイン画面６０は、ログインＩＤを入力する第１入力欄Ａ６１と、パスワードを入力する第２入力欄Ａ６２と、ログインボタンＢ６１とを含む。ライフログ等のサービスの利用を希望する顧客は、当該サービスに予め登録しておいた自身のログインＩＤ及びパスワードを、ＬＣＤ１１１に表示されるソフトウェアキーボード等を用いて第１入力欄Ａ６１及び第２入力欄Ａ６２に入力し、ログインボタンＢ６１を押下する。
【００７４】
注文受付装置１０２のマイクロコンピュータ２０１は、ログインボタンＢ６１の押下を受け付けると（ステップＳ３４；Ｙｅｓ）、第１入力欄Ａ６１及び第２入力欄Ａ６２に入力されたログインＩＤ及びパスワードをサーバ装置１４０に送信することでログインを行う。ここで、サーバ装置１４０により正規ユーザであることが確認されると、注文受付装置１０２のマイクロコンピュータ２０１は、ログインを行った顧客に、自身のアバターを選択させるためのアバター選択画面をＬＣＤ１１１に表示させる（ステップＳ３５）。これにより、ＬＣＤ１１１には、アバター選択画面が表示される。
【００７５】
なお、ステップＳ３５で表示するアバター選択画面は、例えば、図６−１に示したアバター選択画面１０と同様のものを用いることができる。ただし、各顧客により選択済みのアバターボタンＢ１１（アバター画像）を選択可能に表示するものとする。また、アバター選択画面として、図８−１に表示されたアバター画像Ａ２２の選択を促す画面を表示してもよい。
【００７６】
注文受付装置１０２のマイクロコンピュータ２０１は、アバター選択画面からアバター画像の選択を受け付けると（ステップＳ３６；Ｙｅｓ）、この選択されたアバター画像のアバターコードに対応付けて登録された注文履歴に基づいて送信確認画面７０を生成し、ＬＣＤ１１１に表示させる（ステップＳ３７）。これにより、ＬＣＤ１１１には、送信確認画面７０が表示される（図１１−３参照）。
【００７７】
図１１−３に示すように、送信確認画面７０は、選択されたアバターのアバターコードに対応付けられた注文履歴を表示する送信内容表示Ａ７１と、除外ボタンＢ７１と、キャンセルボタンＢ７２と、送信ボタンＢ７３とを含む。送信内容表示Ａ７１には、顧客が注文したメニュー品目名Ａ７１ａ、重量或いは分量Ａ７１ｂ、カロリー数Ａ７１ｃ等のメニュー品目に関する商品情報が表示される。なお、送信内容表示Ａ７１に表示する商品情報は、これに限らず、メニュー写真等を含んでもよい。
【００７８】
除外ボタンＢ７１は、送信内容表示Ａ７１に表示された注文履歴から、所望の注文履歴を送信対象から除外するための操作子である。注文受付装置１０２のマイクロコンピュータ２０１は、送信内容表示Ａ７１に表示された何れかの注文履歴が指定された後、除外ボタンＢ７１の押下を受け付けると（ステップＳ３８；Ｙｅｓ）、指定された注文履歴を送信対象から除外した後（ステップＳ３９）、ステップＳ３８に戻る。なお、注文受付装置１０２のマイクロコンピュータ２０１は、送信対象から除外した注文履歴を、図１１−３に示すようにグレーアウト等の強調表示を行うことでその旨を明示する。
【００７９】
キャンセルボタンＢ７２は、履歴送信処理をキャンセルするための操作子である。注文受付装置１０２のマイクロコンピュータ２０１は、キャンセルボタンＢ７２の押下を受け付けると（ステップＳ３８；Ｎｏ→ステップＳ４０；Ｙｅｓ）、送信確認画面７０を消去した後、ステップＳ３５のアバター選択画面の表示に戻る。なお、本実施形態では、キャンセルボタンＢ７２の押下時にアバター選択画面の表示に戻る形態としたが、これに限らず、ステップＳ３１に戻ってもよいし、本処理を終了する形態としてもよい。
【００８０】
また、送信ボタンＢ７３は、注文履歴の送信を指示するための操作子である。注文受付装置１０２のマイクロコンピュータ２０１は、送信ボタンＢ７３の押下を受け付けると（ステップＳ３８；Ｎｏ→ステップＳ４０；Ｎｏ→ステップＳ４１；Ｙｅｓ）、送信内容表示Ａ７１に表示された注文履歴のうち、ステップＳ３９で除外した注文履歴以外の注文履歴、つまり送信対象の注文履歴に係る商品情報を、サーバ装置１４０に送信する（ステップＳ４２）。そして、注文受付装置１０２のマイクロコンピュータ２０１は、送信確認画面７０を消去し、本処理を終了する。
【００８１】
なお、注文受付装置１０２のマイクロコンピュータ２０１は、送信ボタンＢ７３の押下を確認できない場合には（ステップＳ３８；Ｎｏ→ステップＳ４０；Ｎｏ→ステップＳ４１；Ｎｏ）、ステップＳ３８に戻る。
【００８２】
このように、注文受付装置１０２では、各顧客が注文したメニュー品目に関する商品情報を、注文受付装置１０２からサーバ装置１４０へ直接送信することができる。これにより、サーバ装置１４０が提供するサービスへの商品情報の記録を、容易且つ効率的に行うことができるため、利用者の利便性を高めることができる。
【００８３】
なお、上記の履歴送信処理では、サーバ装置１４０へのログインを行った後に、アバター（アバター画像）を選択したが、これに限らず、アバターを選択した後にサーバ装置１４０にログインする形態としてもよい。また、アバター毎にメニュー画面を設け、このメニュー画面内において、サーバ装置１４０へのログインと、注文履歴の送信とを行う形態としてもよい。
【００８４】
図１２は、オーダステーション１０６が実行するオーダエントリ処理の流れの一例を示すフローチャートである。オーダステーション１０６のマイクロコンピュータ３０１は、注文データを受信するまで待機している（ステップＳ５１；Ｎｏ）。
【００８５】
オーダステーション１０６のマイクロコンピュータ３０１は、注文データの受信を判定すると（ステップＳ５１；Ｙｅｓ）、受信した注文データに含まれるテーブルコードに対応する注文ファイル３５１のアバターコード３５１ｃ、メニューコード３５１ｄ及び数量３５１ｅの欄に、その注文データに含まれているアバターコード、メニューコード及びその数量を登録する（ステップＳ５２）。これにより、オーダステーション１０６のマイクロコンピュータ３０１は、テーブルコード３５１ａで特定されるテーブルの各顧客（アバターコードで特定）が、メニューコード３５１ｄで特定されるメニュー品目を何品（数量３５１ｅで特定）注文したのかを個別に管理することができる。
【００８６】
その後、オーダステーション１０６のマイクロコンピュータ３０１は、ＬＡＮケーブル１０８を介して、注文ファイル３５１を伝文形式にして、キッチンプリンタ１０３に送信する（ステップＳ５３）。キッチンプリンタ１０３は、オーダステーション１０６から送信された注文ファイル３５１の伝文を受信すると、伝票を印字発行する。この場合の伝票は、注文されたメニュー品目をキッチンの調理人に指示するための調理指示伝票であり、注文されたメニュー品目及びテーブルコードを含んでいる。
【００８７】
また、ＰＯＳ端末１０４では、オーダステーション１０６の注文ファイル３５１から、精算の対象となったテーブル（テーブルコード３５１ａ）のレコードを参照し、当該レコードに基づいて、注文された各商品の支払金額をアバターコード毎に算出するとともに、それら支払金額の合計金額を算出する。そして、ＰＯＳ端末１０４は、算出したアバターコード毎の支払金額又はこれらの合計金額に基づき精算を行う。
【００８８】
以上のように、本実施形態の注文受付装置１０２によれば、各顧客が飲食したメニュー品目のうち、所望のメニュー品目に関する商品情報を、当該顧客からの指示に応じて、注文受付装置１０２からサーバ装置１４０へ送信する。これにより、顧客は、サーバ装置１４０が提供するサービスへの商品情報の記録を、注文受付装置１０２を操作することにより、容易且つ効率的に行うことができるため、利用者の利便性を高めることができる。
【００８９】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【００９０】
例えば、上記実施形態では、注文受付装置１０２単体で注文履歴をサーバ装置１４０に送信する形態としたが、これに限らず、顧客が携帯する携帯電話等の携帯端末と連携して送信する形態としてもよい。例えば、図１３に示すように、注文受付装置１０２と携帯端末１５０との間で通信を確立し、上記の送信確認画面７０で送信が指示された注文履歴を注文受付装置１０２から携帯端末１５０へ送信する。携帯端末１５０では、ＷＡＮ１３０を介して注文受付装置１０２から受信した注文履歴をサーバ装置１４０に転送する。この場合、注文受付装置１０２でのログイン処理は不要となり、携帯端末１５０からサーバ装置１４０にログインすることで、この携帯端末１５０を経由してサーバ装置１４０に注文履歴を送信することができる。また、この場合、接続先選択画面５０の選択肢に携帯端末１５０を表示してよい。
【００９１】
また、携帯端末１５０に、注文受付装置１０２と連携動作可能な専用アプリケーション等を予めインストールしておくことで、アバター（アバター画像）の選択等を携帯端末１５０側で行う形態としてもよい。なお、注文受付装置１０２と携帯端末１５０との接続方法は特に問わず、例えば、Ｂｌｕｅｔｏｏｔｈ（登録商標）や赤外線通信、ＵＳＢ接続等の公知技術を用いることが可能である。
【００９２】
上記実施形態の注文受付装置１０２で実行される基本ＯＳ１７３及びプログラム１７２は、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００９３】
また、上記実施形態の注文受付装置１０２で実行される基本ＯＳ１７３及びプログラム１７２を、インターネット等のネットワークに接続されたコンピュータ上に格納し、ネットワーク経由でダウンロードさせることにより提供するように構成してもよい。また、上記実施形態の注文受付装置１０２で実行される基本ＯＳ１７３及びプログラム１７２をインターネット等のネットワーク経由で提供または配布するように構成してもよい。
【符号の説明】
【００９４】
１０２  注文受付装置
１１０  タッチパネル
１１１  ＬＣＤ
１１２  キーボード
２０１  マイクロコンピュータ
２０２  ＣＰＵ
２０３  バスライン
２０４  ＲＯＭ
２０５  ＲＡＭ
２０６  タッチパネルコントローラ
２０７  表示コントローラ
２０８  キーボードコントローラ
２０９  無線通信インターフェース
２１０  無線部
２１１  アンテナ
【先行技術文献】
【特許文献】
【００９５】
【特許文献１】特開２０１１−２１０００８号公報
【図１】
2014170506.tif 000003
【図２】
2014170506.tif 000004
【図３】
2014170506.tif 000005
【図４】
2014170506.tif 000006
【図５】
2014170506.tif 000007
【図６−１】
2014170506.tif 000008
【図６−２】
2014170506.tif 000009
【図７】
2014170506.tif 000010
【図８−１】
2014170506.tif 000011
【図８−２】
2014170506.tif 000012
【図８−３】
2014170506.tif 000013
【図８−４】
2014170506.tif 000014
【図９−１】
2014170506.tif 000015
【図９−２】
2014170506.tif 000016
【図９−３】
2014170506.tif 000017
【図９−４】
2014170506.tif 000018
【図１０】
2014170506.tif 000019
【図１１−１】
2014170506.tif 000020
【図１１−２】
2014170506.tif 000021
【図１１−３】
2014170506.tif 000022
【図１２】
2014170506.tif 000023
【図１３】
2014170506.tif 000024